(57)【要約】【課題】  宅配ボックス自体の寸法を拡大することなく、必要に応じて宅配物の収容空間を拡張し得る宅配ボックスを提供する。【解決手段】  前面と後面が開口する角筒状に形成された第１収容体１と、前面が開口する箱状に形成され前記第１収容体の外寸よりも大きな内寸の第２収容体２と、第１収容体の左右それぞれの側部外面と第２収容体の左右それぞれの側部内面間に設けられ該第１収容体を該第２収容体に対して前後方向へ移動させるガイドレール４とを備え、常態において前記第２収容体内に位置する前記第１収容体が宅配物の収容空間となり、前記第１収容体を前方に引き出すと該第１収容体と前記第２収容体の双方が宅配物の収容空間とし得る。【選択図】図２
0003226019.tif 000002
【実用新案登録請求の範囲】
【請求項１】
前面と後面が開口する角筒状に形成された第１収容体と、前面が開口する箱状に形成され前記第１収容体の外寸よりも大きな内寸の第２収容体と、前記第１収容体の一方端部にヒンジされ該第１収容体の前面開口を開閉可能に設けられた前面扉と、前記第１収容体の左右それぞれの側部外面と前記第２収容体の左右それぞれの側部内面間に設けられ該第１収容体を該第２収容体に対して前後方向へ移動させるガイドレールと、前記第１収容体に対して前記前面扉を施錠する施錠装置とを備え、
常態において前記第２収容体内に位置する前記第１収容体が宅配物の収容空間となり、前記第１収容体を前方に引き出すと該第１収容体と前記第２収容体の双方が宅配物の収容空間となることを特徴とする宅配ボックス。
【請求項２】
前面と後面が開口する角筒状に形成された第１収容体と、前面と後面が開口する角筒状に形成され前記第１収容体の外寸よりも大きな内寸の第２収容体と、前記第１収容体の一方端部にヒンジされ該第１収容体の前面開口を開閉可能に設けられた前面扉と、前記第２収容体の一方端部にヒンジされ該第２収容体の後面開口を開閉可能に設けられた後面扉と、前記第１収容体の左右それぞれの側部外面と前記第２収容体の左右それぞれの側部内面間に設けられ該第１収容体を該第２収容体に対して前後方向へ移動させるガイドレールと、前記第１収容体に対して前記前面扉を施錠する施錠装置とを備え、
常態において前記第２収容体内に位置する前記第１収容体が宅配物の収容空間となり、前記第１収容体を前方に引き出すと該第１収容体と前記第２収容体の双方が宅配物の収容空間となることを特徴とする宅配ボックス。
【請求項３】
前記第１収容体の左右それぞれの前端部に横方向へ張り出し前記第２収容体の前面に当接し得る張出片部を設けたことを特徴とする請求項１又は２のいずれかに記載の宅配ボックス。
【考案の詳細な説明】
【技術分野】
【０００１】
本考案は、必要に応じて収容空間を拡張し得る宅配ボックスに関するものである。
【背景技術】
【０００２】
近時、商品を購入するにあたり、インターネット通販を利用する者が飛躍的に増大するなどの理由から、商品が家庭に宅配されるケースが著しく増えている。その一方で、共働きの家庭が増えたこと、また、レジャー等で外出する機会も増えているため、宅配物の配達時に、宅配物を受け取るべき居住者が家を不在にしているケースも増加している。そこで、こうした不都合を解消する手段として、宅配ボックスが広く利用されるようになっている。すなわち、宅配ボックスを玄関先に設置したり、住宅の壁面に埋設して、仮に居住者が不在であっても、宅配物の配達を完了し得るようにしている。
【０００３】
ここで、宅配ボックスの一般的なものとしては、収容空間を有する箱体の前面に扉を設けると共に施錠装置を設けて構成されており、居住者が不在の場合には、宅配物を配達する者が宅配ボックスの箱体内部の収容空間に宅配物を入れた後に施錠し、居住者が帰宅したら宅配ボックスを居住者が解錠して宅配物を取り出すという方法が採られている（特許文献１）。
【先行技術文献】
【特許文献】
【０００４】
【特許文献１】特許第６５８６２０２号公報
【考案の開示】
【考案が解決しようとする課題】
【０００５】
しかしながら、宅配物は、時として、大型の物品等であることがあり、宅配ボックスに収まらないこともある。この場合、配達者にとっては、せっかく宅配したにもかかわらず、再び宅配物を持ち帰らなければならないといった不都合が生じ、居住者にとっても、再度配達される日時を決定し、宅配物が届くのを家で待たなければならないといった不都合が生じることになる。その反面、宅配ボックスは、先に述べたとおり、玄関先や住宅の壁面といった限られたスペースに設置されることが多いため、必然的に宅配ボックス自体を大型化することも困難である。
【０００６】
そこで、本考案は、上記課題に鑑みて、常態における宅配ボックス自体の大きさを変更することなく、その収容空間を必要に応じて拡張し得る宅配ボックスを提供することを目的としている。
【課題を解決するための手段】
【０００７】
かかる目的を達成するため本考案に係る宅配ボックスは、前面と後面が開口する角筒状に形成された第１収容体と、前面が開口する箱状に形成され前記第１収容体の外寸よりも大きな内寸の第２収容体と、前記第１収容体の一方端部にヒンジされ該第１収容体の前面開口を開閉可能に設けられた前面扉と、前記第１収容体の左右それぞれの側部外面と前記第２収容体の左右それぞれの側部内面間に設けられ該第１収容体を該第２収容体に対して前後方向へ移動させるガイドレールと、前記第１収容体に対して前記前面扉を施錠する施錠装置とを備え、常態において前記第２収容体内に位置する前記第１収容体が宅配物の収容空間となり、前記第１収容体を前方に引き出すと該第１収容体と前記第２収容体の双方が宅配物の収容空間となることを特徴としている。
【０００８】
また、本考案に係る宅配ボックスは、前面と後面が開口する角筒状に形成された第１収容体と、前面と後面が開口する角筒状に形成され前記第１収容体の外寸よりも大きな内寸の第２収容体と、前記第１収容体の一方端部にヒンジされ該第１収容体の前面開口を開閉可能に設けられた前面扉と、前記第２収容体の一方端部にヒンジされ該第２収容体の後面開口を開閉可能に設けられた後面扉と、前記第１収容体の左右それぞれの側部外面と前記第２収容体の左右それぞれの側部内面間に設けられ該第１収容体を該第２収容体に対して前後方向へ移動させるガイドレールと、前記第１収容体に対して前記前面扉を施錠する施錠装置とを備え、常態において前記第２収容体内に位置する前記第１収容体が宅配物の収容空間となり、前記第１収容体を前方に引き出すと該第１収容体と前記第２収容体の双方が宅配物の収容空間となることを特徴としている。
【０００９】
さらに、本考案に係る宅配ボックスは、前記第１収容体の左右それぞれの前端部に横方向へ張り出し前記第２収容体の前面に当接し得る張出片部を設けたことを特徴としている。
【考案の効果】
【００１０】
本考案に係る宅配ボックスによれば、内部に収容する宅配物が大型の場合であっても、宅配ボックス全体の寸法に変更を加えることなく、収容空間を拡張して対応することができる。
【図面の簡単な説明】
【００１１】
【図１】常態における宅配ボックスの斜視図。
【図２】収容空間を拡張した宅配ボックスの斜視図。
【図３】常態における宅配ボックスの側面図。
【図４】収容空間を拡張した宅配ボックスの側面図。
【図５】常態における宅配ボックスの断面図。
【図６】収容空間を拡張した宅配ボックスの断面図。
【図７】第２実施例の宅配ボックスの側面図。
【考案を実施するための形態】
【００１２】
以下、本考案に係る宅配ボックスの実施の形態について図面を参照しながら説明する。図１は常態における宅配ボックスの斜視図、図２は収容空間を拡張した宅配ボックスの斜視図、図３は常態における宅配ボックスの側面図、図４は収容空間を拡張した宅配ボックスの側面図、図５は常態における宅配ボックスの断面図、図６は収容空間を拡張した宅配ボックスの断面図である。そして、これらの図面に示されているように、本実施形態の宅配ボックスは、角筒状に形成された第１収容体１と、前面が開口する箱状に形成された第２収容体２と、第１収容体１の一方端部にヒンジされ該第１収容体１の前面開口を開閉可能に設けられた前面扉３と、第１収容体１の左右それぞれの側部外面と第２収容体２の左右それぞれの側部間に設けられたガイドレール４と、第１収容体１に対して前面扉３を施錠する施錠装置５とによって概略構成されている。なお、本実施形態において、「前」とは、第１収容体１の前面扉が存在する側、「後」若しくは「背面」とは、その反対側を指すものとする。
【００１３】
前記第１収容体１は、金属製の板材を組み合わせて角筒状に形成されている。すなわち、底板１０と左右の側板１１，１１と天板１２とによって前面と後面が開口する角筒状になっている。さらに具体的にいうと、底板１０は、横長矩形状の板材の左右両端部を上方へ直角に若干の長さ折曲した側板固着用片１０ａ，１０ａが形成された上向きコ字形になっていると共に、天板１２は、横長矩形状の板材の左右両端部を下方へ直角に若干の長さ折曲した側板固着用片（図示省略）が形成された下向きコ字形になっている。そして、底板１０の側板固着用片１０ａ，１０ａと天板１２の側板固着用片の外側面に左右の側板１１，１１の上下それぞれの内側面端部を固着することによって前面と後面が開口した角筒状に形成されている。また、第１収容体１の前端周縁は額縁状に形成された前面扉３の収納部になっている。すなわち、第１収容体１を形成する底板１０、左右の側板１１，１１、天板１２のそれぞれの前端を直角に３箇所折曲することによって、内側にやや凹んだ位置にフランジ１３を形成し、この凹んだ箇所を前面扉３の閉止状態における収納部としている。すなわち、前面扉３を閉止すると、後述する前面扉３の折返板部３ａの端部がフランジ１３に当接すると共に、折返板部３ａの外側面が収容スペース内に収まる。これにより、前面扉３の前面は第１収容体１の前面と面一となる。さらに、底板１０と天板１２のフランジ１３の左端部には、後述する前面扉３を開閉自在にするための回転軸３２を挿入する軸受孔（不図示）が穿設されている。また、第１収容体１の前端よりやや内側であり左右のそれぞれの外面と上面には、外方へ延出する側方延出部（張出片部）１５，１５と上方延出部１６が形成されている。具体的には、縦長長方形状の板材を直角に屈曲させたＬ字形の部材の一方面を左右の側板１１，１１のそれぞれの外面前端部と天板１２の外面前端部に固着し、他方面が外方へ突出するようにして側方延出部１５，１５と上方延出部１６を形成している。さらに、左右の側板１１，１１の後端は円形に丸められて筒状部１７を形成している。また、右側の側方延出部１５の固着面中央位置と右側の側板１１の双方に後述する施錠装置５のロックシリンダー５３を貫通させるための錠取付用孔が穿設されている。さらに、右側の側板１１の内面には、錠取付用孔を囲むように錠カバー１９が取着されている。なお、第１収容体１の下面前端部、すなわち、底板１０の外側面の前端部左右両側に一対のキャスター１８，１８が装着されている。
【００１４】
前記第２収容体２は、金属性の板材を組み合わせて箱状に形成されている。すなわち、底板２０と左右の側板２１，２１と天板２２と背面板２３によって前面が開口する箱状になっている。さらに具体的にいうと、底板２０は、横長矩形状の板材の左右両端のそれぞれと後端を上方へ直角に若干の長さ折曲した側板固着用片２０ａ，２０ａと背面板固着用片２０ｂが形成されていると共に、前端を３箇所直角に内側へ折曲して角筒状にした折返角筒部２０ｃが形成されており、底板２０全体が枠状に形成されている。また、天板２２は、横長矩形状の板材の左右両端のそれぞれと後端を上方へ直角に若干の長さ折曲した側板固着用片２２ａ，２２ａと背面板固着用片２２ｂが形成されていると共に、前端を３箇所直角に内側へ折曲した折返部２２ｃが形成されており、天板２２全体が枠状に形成されている。そして、これら側板固着用片２０ａ，２０ａ、２２ａ，２２ａの内側面に左右の側板２１，２１の上下それぞれの外側面端部を固着し、背面板固着用片２０ｂ，２２ｂの内側面に背面板２３の上下それぞれの外側面端部を固着することによって前面が開口した箱状に形成されている。また、左右の側板２１，２１のそれぞれの前端は、直角に３箇所内側へ折曲して角筒状にした折返角筒部２１ａ，２１ａが形成されている。さらに、左右の側板２１，２１の内側には、補強板２４，２４が固着されている。この補強板２４，２４は、矩形状の板材であり、それらの前端と後端のそれぞれを互い違いとなるように直角に若干折曲して固着用片２４ａ，２４ｂが設けられている。そして、前端の固着用片２４ａを側板２１，２１の折返角筒部２１ａ，２１ａに固着すると共に、後端の固着用片２４ｂを背面板２３の内側面に固着している。なお、第２収容体２の下面、すなわち、底板２０の外側面の四隅部近傍のそれぞれの箇所に底足２５，２５，２５，２５が取着されている。さらに、底板２０の内側面には、前後方向に所定の長さを有し、第１収容体１の移動を案内するガイド部２６，２６が形成されている。
【００１５】
前記前面扉３は、矩形状の板材の上下両端のそれぞれと左端を後方（内側）へ直角に若干の長さ折曲した折返板部３ａを形成すると共に、右端を後方（内側）へ筒状に丸めて軸筒部３１とした枠状に形成されている。そして、前面扉３の軸筒部３１に回転軸３２を挿通させると共に、回転軸３２の上下端部のそれぞれを第１収容体１の軸挿通孔に軸支させることにより、前面扉３を第１収容体１に対し開閉自在に装着している。また、前面扉３の右端内面上下のそれぞれにマグネット３３，３３が装着されている。これにより、前面扉３を第１収容体１のフランジ１３に閉止すると、マグネット３３，３３が第１収容体１のフランジ１３に磁着して閉止状態を維持することができる。さらに、前面扉３の右端内面高さ方向中央部には、後述する施錠装置５の一部をなす施錠板３４が取着されている。この施錠板３４は、前面扉３の内面から第１収容体１の内方へ延出する板状の部材であり、この施錠板３４には、後述する施錠装置５のロックピン５４を挿通するためのロック孔３５が穿設されている。また、前面扉３の右端部外面中央部には、把手３６が取着されている。
【００１６】
前記ガイドレール４は、第１収容体１の左右それぞれの外面と、第２収容体２の左右それぞれの内面との間に上下に一対ずつ合計４つ設けられている。具体的には、ガイドレール４は、第２収容体２の左右それぞれの補強板２４，２４に固着される固定レール４１と、第１収容体１の左右それぞれの側板１１，１１に固着される可動レール４２と、固定レール４１と可動レール４２の間に配置された中間レール４３とによって構成されている。また、図示はしないが、固定レール４１と中間レール４３の間、中間レール４３と可動レール４２の間にはボールベアリングが嵌挿されており、これによって固定レール４１内を中間レール４３が摺動すると共に、中間レール４３内を可動レール４２が摺動し、中間レール４３と可動レール４２が二段階で引き出されることになる。このように、二段階で引き出し可能としたことにより、第１収容体１が第２収容体２から引き出される範囲が拡大され、ひいては、宅配ボックスの収容空間をより拡張すること寄与している。なお、第１収容体１の外面であり、上下に位置するガイドレール４，４のそれぞれの上方に、ガイドレール４，４に雨水等がかかるのを防止する樋部材４５，４５が装着されている。
【００１７】
前記施錠装置５は、いわゆるプッシュロックであり、第１収容体１の左側、すなわち、左側の側板１１の前端高さ方向中央部に装着されている。この施錠装置５についてさらに説明すると、施錠装置５は、取付基板５１に固着された固定筒体５２内に回転可能で且つ前後方向に移動可能なロックシリンダー５３が収容されている。また、ロックシリンダー５３の後端部にはロックシリンダー５３よりも細径のロックピン５４が設けられている。そして、前面扉３の施錠時においては、ロックシリンダー５３が固定筒体５２内に押し込まれていると共に、ロックピン５４が取付基板５１から外方（第１収容体１の内方）へと突出し前面扉３の施錠板３４に穿設されているロック孔３５に貫通した状態になっている。これによって、前面扉３は前方への移動が規制されて開放することが不可能になる。他方、解錠する時は、ロックシリンダー５３の錠穴にキーを差し込んで時計回り方向へと回転させると、固定筒体５２内に押し込まれていたロックシリンダー５３が回転し固定筒体５２の外方（第１収容体１の右方向）へと飛び出すと共に、ロックピン５４が前面扉３の施錠板３４のロック孔３５から抜けて固定筒体５２内に収容される。これによって、前面扉３を前方へ移動させて開放することが可能になる。
【００１８】
次に、上記のように構成された本実施形態に係る宅配ボックスの使用方法について説明する。宅配ボックス内に宅配物が収容されていない時、宅配ボックスは、その施錠装置５を解錠した状態にしておく。そして、配達者が宅配物を宅配ボックスに収容したい時は、前面扉３を開放してそのまま宅配ボックス内に宅配物を収容させれば足りる。この時の宅配ボックスの状態は、図１、図３、図５に示されているように、第１収容体１のほとんどが第２収容体２の内側に収まっている。すなわち、第１収容体１の側方延出部（張出片部）１５及び上方延出部１６よりも後方の部分がすべて第２収容体２内に位置している。ここで、配達者が宅配ボックス内に宅配物を収容しようとしたものの、宅配物が宅配ボックス内に収まらないサイズであった場合には、図２、図４、図６に示されているように、第１収容体１を前方に引き出して宅配ボックスの収容空間を拡張させる。具体的には、配達者が第１収容体１の側方延出部１５、あるいは上方延出部１６に手をかけて第１収容体１を前方に引くと、第１収容体１はガイドレール４によって前方へ移動する。この時、第１収容体１の底面に設けられたキャスター１８，１８に補助されて、比較的軽い力で第１収容体１を引き出すことができる。次いで、宅配ボックス内に宅配物を収容したら、前面扉３を閉止して、施錠装置５のロックシリンダー５３を押し込んで施錠する。これで宅配物の収容が完了する。そして、居住者が帰宅したら、施錠装置５のロックシリンダー５３の錠穴にキーを差し込んで回転させて解錠する。後は、前面扉３を開放させて宅配物を取り出せば良い。
【００１９】
図７は、他の実施形態に係る宅配ボックスを示している。なお、この実施形態の宅配ボックスは、上述の実施形態の宅配ボックスとほとんどの構成が共通するので、上述の実施形態と共通する構成については同一の符号を付して詳しい説明を省略する。図７に示されている宅配ボックスは、住宅の壁面に埋設して設置している。そして、住宅の内部から宅配物を取り出すことができるように、第２収容体２の後面開口に後面扉７を設けて構成している。すなわち、第２収容体２の右端に後面扉７を開閉自在にヒンジしている。ちなみに、図７に示す宅配ボックスは、前面扉３と後面扉７の双方が半開きの状態になっている。なお、この実施形態において、後面扉７を設けた宅配ボックスの例として、住宅の壁面に埋設して設置した例を示したが、当然、これに限られるわけではなく、例えば、後面扉７を有する宅配ボックスを玄関先その他の場所に設置しても良い。
【００２０】
なお、以上の述べた宅配ボックスの実施形態において、ガイドレールを左右２つずつ設けた例を示したが、これに限られるわけではなく、ガイドレールの数は任意に選択可能である。
【符号の説明】
【００２１】
１                         第１収容体１
２                         第２収容体２
３                         前面扉
４                         ガイドレール 
５                         施錠装置
７                         後面扉
１５                       側方延出部（張出片部）
【図１】
0003226019.tif 000003
【図２】
0003226019.tif 000004
【図３】
0003226019.tif 000005
【図４】
0003226019.tif 000006
【図５】
0003226019.tif 000007
【図６】
0003226019.tif 000008
【図７】
0003226019.tif 000009